(57)【要約】【課題】電子機器のパフォーマンスが低い場合、パフォーマンスが低いことを、早く、且つ、ユーザーにとって便利な方法で提示する。【解決手段】クライアント装置は、モバイルデバイスから受信したビーコンの電波強度に基づき、クライアント装置との距離が第１の距離以下であるモバイルデバイスを検出すると、受信したビーコンに含まれるユーザー識別子が特定ユーザーを識別するか否かを判断し、ユーザー識別子が特定ユーザーを識別すると判断すると、特定の基準に比べてクライアント装置のパフォーマンスが低い機能を識別する機能識別子と、パフォーマンスが低い機能のログとを要求するための第１のパフォーマンス情報要求を、サーバー装置に送信し、又はユーザー識別子が特定ユーザーを識別しないと判断すると、クライアント装置のパフォーマンスが低い機能を識別する機能識別子を要求するための第２のパフォーマンス情報要求を、サーバー装置に送信する。【選択図】図９
2020042379.tif 000002
【特許請求の範囲】
【請求項１】
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する
情報処理システム。
【請求項２】
請求項１に記載の情報処理システムであって、
前記サーバー装置は、
前記サーバー装置が過去に受信した１以上のログに含まれる実行開始日時及び実行終了日時のうち、前記機能識別子ごとの前記実行開始日時から前記実行終了日時までの最短時間を、前記特定の基準として、前記記憶装置に記憶し、
直近の特定期間内に受信したログに含まれる前記実行開始日時から前記実行終了日時までの時間である実行時間と、前記記憶装置が前記特定の基準として記憶する、受信した前記ログに含まれる前記機能識別子により識別される前記機能の前記最短時間との差が、閾値を超えた場合、前記機能識別子により識別される前記機能を前記パフォーマンスが低い機能と判断する
情報処理システム。
【請求項３】
請求項２に記載の情報処理システムであって、
前記サーバー装置は、
前記ログを前記クライアント装置から受信すると、
受信した前記ログに含まれる前記実行開始日時から前記実行終了日時までの実行時間と、前記記憶装置が前記特定の基準として記憶する、受信した前記ログに含まれる前記機能識別子により識別される前記機能の前記最短時間とを比較し、
前記実行時間が前記最短時間より短い場合、前記記憶装置が前記特定の基準として記憶する前記最短時間を、前記実行時間で更新する
情報処理システム。
【請求項４】
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する
情報処理システムに含まれる
クライアント装置。
【請求項５】
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する
情報処理システムに含まれる
サーバー装置。
【発明の詳細な説明】
【技術分野】
【０００１】
本発明は、電子機器が実行する機能のうちパフォーマンスが低い機能をユーザーに提示する技術に関する。
【背景技術】
【０００２】
電子機器のログを管理する技術が知られている（特許文献１）。
【先行技術文献】
【特許文献】
【０００３】
【特許文献１】特開２００６−０６７１５６号公報
【発明の概要】
【発明が解決しようとする課題】
【０００４】
電子機器のログを管理する技術において、電子機器のパフォーマンスが低い場合、パフォーマンスが低いことを、早く、且つ、ユーザーにとって便利な方法で、ユーザーに提示することが望ましい。
【課題を解決するための手段】
【０００５】
本発明の一実施形態に係る情報処理システムは、
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する。
【０００６】
本実施形態によれば、クライアント装置は、クライアント装置との距離が第１の距離以下であるモバイルデバイスを検出すると、パフォーマンス情報要求を、サーバー装置に送信する。これにより、クライアント装置は、モバイルデバイスを携帯するユーザーがクライアント装置から例えば３メートル離れているときに、パフォーマンス情報要求をサーバー装置に送信し、パフォーマンス情報を予め取得しておくことができる。その結果、クライアント装置は、クライアント装置との距離が第１の距離より小さい第２の距離（例えば１メートル）以下であるモバイルデバイスを検出すると、パフォーマンス情報を直ちにユーザーに提示することを図れる。
【０００７】
本実施形態によれば、クライアント装置は、モバイルデバイスにログインしたユーザーが特定ユーザーであれば、機能識別子及びログをサーバー装置に要求し取得する。一方、クライアント装置は、モバイルデバイスにログインしたユーザーが特定ユーザーでなければ、機能識別子をサーバー装置に要求し取得する。これにより、ログを必要とする特定ユーザーの場合のみログを送受信するので、特定ユーザーでない場合にはデータ送受信量を減らすことができる。
【０００８】
前記サーバー装置は、
前記サーバー装置が過去に受信した１以上のログに含まれる実行開始日時及び実行終了日時のうち、前記機能識別子ごとの前記実行開始日時から前記実行終了日時までの最短時間を、前記特定の基準として、前記記憶装置に記憶し、
直近の特定期間内に受信したログに含まれる前記実行開始日時から前記実行終了日時までの時間である実行時間と、前記記憶装置が前記特定の基準として記憶する、受信した前記ログに含まれる前記機能識別子により識別される前記機能の前記最短時間との差が、閾値を超えた場合、前記機能識別子により識別される前記機能を前記パフォーマンスが低い機能と判断する。
【０００９】
本実施形態によれば、実行時間と最短時間との差が閾値を超えた場合、パフォーマンスが低い機能と判断する。このため、例えばユーザーがストレスを感じる時間を考慮して閾値を設定することにより、ユーザーがストレスを感じやすい実行時間を考慮してユーザーにパフォーマンスが低い機能を提示することを図れる。
【００１０】
前記サーバー装置は、
前記ログを前記クライアント装置から受信すると、
受信した前記ログに含まれる前記実行開始日時から前記実行終了日時までの実行時間と、前記記憶装置が前記特定の基準として記憶する、受信した前記ログに含まれる前記機能識別子により識別される前記機能の前記最短時間とを比較し、
前記実行時間が前記最短時間より短い場合、前記記憶装置が前記特定の基準として記憶する前記最短時間を、前記実行時間で更新する。
【００１１】
本実施形態によれば、サーバー装置は、受信したログに基づく実行時間が最短時間より短い場合、記憶装置が記憶する最短時間を、実行時間で更新する。これにより、記憶装置が記憶する最短時間は、常に最新の値となる。
【００１２】
本発明の一実施形態に係るクライアント装置は、
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する
情報処理システムに含まれる。
【００１３】
本発明の一実施形態に係るサーバー装置は、
ログインしたユーザーのユーザー識別子を含む信号であるビーコンを発信するモバイルデバイスと、
前記ビーコンを受信するクライアント装置と、
記憶装置を有し、前記クライアント装置とネットワークを介して通信するサーバー装置と、
を具備し、
前記クライアント装置は、
機能を実行すると、前記機能を識別する機能識別子と、前記機能の実行開始日時及び実行終了日時とを含むログを生成し、
生成した前記ログを前記サーバー装置に送信し、
前記サーバー装置は、
前記ログを前記クライアント装置から受信し、
受信した前記ログに含まれる前記機能識別子ごとに、受信した前記ログを前記記憶装置に記憶し、
前記クライアント装置は、さらに、
前記モバイルデバイスから受信した前記ビーコンの電波強度に基づき、前記クライアント装置との距離が第１の距離以下である前記モバイルデバイスを検出すると、
前記受信した前記ビーコンに含まれる前記ユーザー識別子が特定ユーザーを識別するか否かを判断し、
前記ユーザー識別子が前記特定ユーザーを識別すると判断すると、特定の基準に比べて前記クライアント装置のパフォーマンスが低い機能を識別する機能識別子と、前記パフォーマンスが低い機能のログとを要求するための第１のパフォーマンス情報要求を、前記サーバー装置に送信し、又は
前記ユーザー識別子が前記特定ユーザーを識別しないと判断すると、前記クライアント装置の前記パフォーマンスが低い機能を識別する機能識別子を要求するための第２のパフォーマンス情報要求を、前記サーバー装置に送信し、
前記サーバー装置は、さらに、
前記クライアント装置から前記第１のパフォーマンス情報要求又は前記第２のパフォーマンス情報要求を受信すると、
前記記憶装置が記憶する前記ログに含まれる前記実行開始日時及び前記実行終了日時とに基づき、パフォーマンスが低い機能を判断し、
前記第１のパフォーマンス情報要求に対する応答として、前記パフォーマンスが低い機能を識別する機能識別子と、前記機能のログとを含む第１の応答を、前記クライアント装置に送信し、又は
前記第２のパフォーマンス情報要求に対する応答として、前記パフォーマンスが低い機能を識別する機能識別子を含む第２の応答を、前記クライアント装置に送信し、
前記クライアント装置は、さらに、
前記第１の応答又は前記第２の応答を、サーバー装置から受信し、
前記モバイルデバイスから受信した前記ビーコンの電波強度に基づき、前記クライアント装置との距離が前記第１の距離より小さい第２の距離以下である前記モバイルデバイスを検出すると、
前記第１の応答を受信した場合、前記第１の応答に含まれる前記機能識別子により識別される前記機能を前記ユーザーに提示し、前記第１の応答に含まれる前記ログを処理する方法を前記ユーザーに選択させ、選択された前記方法で前記ログを処理し、又は
前記第２の応答を受信した場合、前記第２の応答に含まれる前記機能識別子により識別される前記機能を前記ユーザーに提示する
情報処理システムに含まれる。
【発明の効果】
【００１４】
本発明によれば、クライアント装置のログを管理する技術において、クライアント装置のパフォーマンスが低い場合、パフォーマンスが低いことを、早く、且つ、ユーザーにとって便利な方法で、ユーザーに提示することができる。
【００１５】
なお、ここに記載された効果は必ずしも限定されるものではなく、本発明中に記載されたいずれかの効果であってもよい。
【図面の簡単な説明】
【００１６】
【図１】本発明の一実施形態に係る情報処理システムを示す。
【図２】クライアント装置のハードウェア構成を示す。
【図３】モバイルデバイスのハードウェア構成を示す。
【図４】サーバー装置のハードウェア構成を示す。
【図５】情報処理システムの機能的構成を示す。
【図６】クライアント装置の第１の動作フローを示す。
【図７】サーバー装置の第１の動作フローを示す。
【図８】ログ記憶部の一例を示す。
【図９】クライアント装置の第２の動作フローを示す。
【図１０】サーバー装置の第２の動作フローを示す。
【図１１】第１の応答に含まれる情報を表示部に表示する一例を示す。
【図１２】第２の応答に含まれる情報を表示部に表示する一例を示す。
【発明を実施するための形態】
【００１７】
以下、図面を参照しながら、本発明の実施形態を説明する。
【００１８】
１．情報処理システム
【００１９】
図１は、本発明の一実施形態に係る情報処理システムを示す。
【００２０】
情報処理システム１は、クライアント装置１０と、モバイルデバイス２０と、サーバー装置３０とを具備する。
【００２１】
モバイルデバイス２０は、例えば、スマートフォン、ウェアラブルデバイス等、クライアント装置１０のユーザーが常時携帯することが想定されるデバイスである。モバイルデバイス２０は、ビーコン、即ち、ＢＬＥ（Bluetooth（登録商標）Low Energy）信号を発信する。
【００２２】
クライアント装置１０は、ネットワークＮに接続される。クライアント装置１０は、ビーコンを受信する。クライアント装置１０は、例えば、画像形成装置（ＭＦＰ、Multifunction Peripheral）等の電子機器である。クライアント装置１０は、ネットワークＮに接続される。
【００２３】
サーバー装置３０は、典型的なパーソナルコンピューター等の情報処理装置である。サーバー装置３０は、ネットワークＮに接続される。
【００２４】
２．クライアント装置のハードウェア構成
【００２５】
図２は、クライアント装置のハードウェア構成を示す。
【００２６】
クライアント装置１０は、制御部１１を備える。制御部１１（コントローラー）は、プロセッサーであるＣＰＵ１１ａ（Central Processing Unit）、ＲＡＭ１１ｂ（Random Access Memory）、メモリーであるＲＯＭ１１ｃ（Read Only Memory）及び専用のハードウェア回路等から構成され、クライアント装置１０の全体的な動作制御を司る。クライアント装置１０を各機能部（後述）として機能させるコンピュータープログラムは、ＲＯＭ等の非一過性のコンピューター読み取り可能な記憶媒体に記憶される。
【００２７】
制御部１１は、画像読取部１２、画像処理部１４、画像メモリー１５、画像形成部１６、表示部１７ａを有する操作部１７、記憶装置１８、ネットワーク通信インターフェース１３及びビーコン受信機１９等と接続されている。制御部１１は、接続されている上記各部の動作制御や、各部との間での信号又はデータの送受信を行う。
【００２８】
３．モバイルデバイスのハードウェア構成
【００２９】
図３は、モバイルデバイスのハードウェア構成を示す。
【００３０】
モバイルデバイス２０は、ＣＰＵ２１、ＲＯＭ２２、ＲＡＭ２３、記憶装置２４、ネットワーク通信インターフェース２５、操作装置２６、表示装置２７及びビーコン発信機２９と、これらを相互に接続するバス２８とを有する。
【００３１】
ＣＰＵ２１は、ＲＯＭ２２が記憶する情報処理プログラムをＲＡＭ２３にロードして実行する。ＲＯＭ２２は、ＣＰＵ２１が実行するプログラムやデータなどを固定的に記憶する。ＲＯＭ２２は、非一過性のコンピューター読み取り可能な記録媒体の一例である。
【００３２】
４．サーバー装置のハードウェア構成
【００３３】
図４は、サーバー装置のハードウェア構成を示す。
【００３４】
サーバー装置３０は、ＣＰＵ３１、ＲＯＭ３２、ＲＡＭ３３、記憶装置３４、ネットワーク通信インターフェース３５、操作装置３６及び表示装置３７と、これらを相互に接続するバス３８とを有する。
【００３５】
ＣＰＵ３１は、ＲＯＭ３２が記憶する情報処理プログラムをＲＡＭ３３にロードして実行する。ＲＯＭ３２は、ＣＰＵ３１が実行するプログラムやデータなどを固定的に記憶する。ＲＯＭ３２は、非一過性のコンピューター読み取り可能な記録媒体の一例である。
【００３６】
５．情報処理システムの機能的構成
【００３７】
図５は、情報処理システムの機能的構成を示す。
【００３８】
クライアント装置１０のＣＰＵ１１ａは、ＲＯＭ１１ｃが記憶する情報処理プログラムをＲＡＭ１１ｂにロードして実行することにより、ログ生成部１０１、距離判断部１０２、ユーザー判断部１０３、パフォーマンス情報要求部１０４、パフォーマンス情報提示部１０５及びログ処理部１０６として動作する。
【００３９】
サーバー装置３０のＣＰＵ３１は、ＲＯＭ３２が記憶する情報処理プログラムをＲＡＭ３３にロードして実行することにより、ログ管理部３０１、最短時間管理部３０２及びパフォーマンス判断部３０３として動作する。
【００４０】
クライアント装置１０のログ生成部１０１は、クライアント装置１０が実行した機能のログを生成する。ログ生成部１０１は、生成したログを、ネットワークＮを介してサーバー装置３０に送信する。
【００４１】
サーバー装置３０のログ管理部３０１は、ネットワークＮを介してクライアント装置１０から、ログを受信する。ログ管理部３０１は、受信したログを、ログに含まれる機能識別子ごとに記憶装置３４のログ記憶部３１０に記憶する。
【００４２】
サーバー装置３０の最短時間管理部３０２は、クライアント装置１０から受信したログに含まれる実行開始日時から実行終了日時までの実行時間と、記憶装置３４の最短時間記憶部３２０が記憶する、受信したログに含まれる機能識別子により識別される機能の最短時間とを比較する。最短時間管理部３０２は、実行時間が最短時間より短いと判断すると、最短時間記憶部３２０が記憶する最短時間を、受信したログに含まれる実行開始日時から実行終了日時までの実行時間で更新する。
【００４３】
クライアント装置１０の距離判断部１０２は、ビーコン受信機１９を介して、モバイルデバイス２０が発信したビーコンを受信する。距離判断部１０２は、受信したビーコンの電波強度に基づき、クライアント装置１０との距離が第１の距離（例えば、３メートル）以下又は第２の距離（例えば、１メートル）以下であるモバイルデバイス２０を検出する。
【００４４】
クライアント装置１０のユーザー判断部１０３は、受信したビーコンに含まれるユーザー識別子が特定ユーザーを識別するか否かを判断する。
【００４５】
クライアント装置１０のパフォーマンス情報要求部１０４は、第１のパフォーマンス情報要求又は第２のパフォーマンス情報要求を生成し、ネットワークＮを介してサーバー装置３０に送信する。
【００４６】
サーバー装置３０のパフォーマンス判断部３０３は、ログ記憶部３１０が記憶する、直近の特定期間内に受信したログを読み出し、特定の基準と比較してパフォーマンスが低い機能（以下、単に「パフォーマンスが低い機能」と記述する。）を判断する。パフォーマンス判断部３０３は、受信したパフォーマンス情報要求が、第１のパフォーマンス情報要求であるか第２のパフォーマンス情報要求であるかに応じて、第１の応答又は第２の応答を生成し、ネットワークＮを介してクライアント装置１０に送信する。
【００４７】
クライアント装置１０のパフォーマンス情報提示部１０５は、距離判断部１０２がクライアント装置１０との距離が第２の距離以下であるモバイルデバイス２０を検出すると、サーバー装置３０から受信した第１の応答又は第２の応答に含まれる情報をユーザーに提示する。
【００４８】
クライアント装置１０のログ処理部１０６は、ユーザーが選択した方法でログを処理する。
【００４９】
６．情報処理システムの第１の動作フロー
【００５０】
図６は、クライアント装置の第１の動作フローを示す。
【００５１】
クライアント装置１０が機能を実行すると（ステップＳ１０１）、ログ生成部１０１は、実行した機能のログを生成する（ステップＳ１０２）。「機能」は、クライアント装置１０が画像形成装置の場合、例えば、コピー、Ｅ−ｍａｉｌ送信（Ｓｅｎｄ）、ローカル保存、リムーバブルメモリ保存等である。「ログ」は、機能を識別する機能識別子と、機能の実行開始日時及び実行終了日時とを、少なくとも含む。「機能識別子」は、本例の場合、コピー、電子メール送信、ローカル保存、リムーバブルメモリ保存等の機能を識別する情報である。ログ生成部１０１は、生成したログを、ネットワークＮを介してサーバー装置３０に送信する（ステップＳ１０３）。
【００５２】
図７は、サーバー装置の第１の動作フローを示す。
【００５３】
サーバー装置３０のログ管理部３０１は、ネットワークＮを介してクライアント装置１０から、ログを受信する（ステップＳ３０１）。ログ管理部３０１は、受信したログを、ログに含まれる機能識別子ごとに記憶装置３４のログ記憶部３１０に記憶する（ステップＳ３０２）。
【００５４】
図８は、ログ記憶部の一例を示す。
【００５５】
ログ記憶部３１０は、機能識別子ごとに、サーバー装置３０が過去に受信した１以上（典型的には複数）のログを記憶する。本例では、ログ記憶部３１０は、１つの機能識別子３１１に、ログ３１１ａ、３１１ｂを記憶する。ログ記憶部３１０は、別の機能識別子３１２に、ログ３１２ａ、３１２ｂを記憶する。各ログ３１１ａ、３１１ｂ、３１２ａ、３１２ｂは、実行開始日時及び実行終了日時を少なくとも含む。
【００５６】
サーバー装置３０の最短時間管理部３０２は、クライアント装置１０から受信したログに含まれる実行開始日時から実行終了日時までの実行時間と、記憶装置３４の最短時間記憶部３２０が記憶する、受信したログに含まれる機能識別子により識別される機能の最短時間（特定の基準）とを比較する（ステップＳ３０３）。
【００５７】
最短時間記憶部３２０は、サーバー装置３０が過去に受信した１以上（典型的には複数）のログに含まれる実行開始日時及び実行終了日時のうち、機能識別子ごとの実行開始日時から実行終了日時までの最短時間（特定の基準）を記憶している。言い換えれば、最短時間記憶部３２０は、機能ごとに１つの最短時間を記憶している。
【００５８】
サーバー装置３０の最短時間管理部３０２は、クライアント装置１０から受信したログに含まれる実行開始日時から実行終了日時までの実行時間が、記憶装置３４の最短時間記憶部３２０が記憶する、受信したログに含まれる機能識別子により識別される機能の最短時間（特定の基準）より短いと判断する（ステップＳ３０３、ＹＥＳ）。この場合、最短時間管理部３０２は、最短時間記憶部３２０が記憶する最短時間を、受信したログに含まれる実行開始日時から実行終了日時までの実行時間で更新する（ステップＳ３０４）。
【００５９】
一方、最短時間管理部３０２は、クライアント装置１０から受信したログに含まれる実行開始日時から実行終了日時までの実行時間が、記憶装置３４の最短時間記憶部３２０が記憶する、受信したログに含まれる機能識別子により識別される機能の最短時間（特定の基準）より短いと判断しなければ（ステップＳ３０３、ＮＯ）、処理を終了する。
【００６０】
７．情報処理システムの第２の動作フロー
【００６１】
図９は、クライアント装置の第２の動作フローを示す。
【００６２】
モバイルデバイス２０のビーコン発信機２９は、定期的に、ビーコン、即ち、ＢＬＥ（Bluetooth（登録商標）Low Energy）信号を発信する。ビーコンは、モバイルデバイス２０にログインしたユーザーのユーザー識別子を含む信号である。
【００６３】
クライアント装置１０の距離判断部１０２は、ビーコン受信機１９を介して、モバイルデバイス２０が発信したビーコンを受信する。距離判断部１０２は、受信したビーコンの電波強度に基づき、クライアント装置１０との距離が第１の距離（例えば、３メートル）以下であるモバイルデバイス２０を検出する（ステップＳ１１１、ＹＥＳ）。
【００６４】
クライアント装置１０のユーザー判断部１０３は、受信したビーコンに含まれるユーザー識別子が特定ユーザーを識別するか否かを判断する（ステップＳ１１２）。「特定ユーザー」は、エンドユーザーとは異なり、例えば、サービスパーソンや社内管理者等の、クライアント装置１０を保守管理する限られたユーザーである。ユーザー判断部１０３は、予め特定ユーザーのユーザー識別子を記憶しており、受信したビーコンに含まれるユーザー識別子が特定ユーザーを識別するか否かを判断することができる。以下、（１）ユーザー判断部１０３がユーザー識別子が特定ユーザーを識別すると判断した場合（言い換えれば、特定ユーザーが第１の距離にいる場合）（ステップＳ１１２、ＹＥＳ）と、（２）ユーザー判断部１０３がユーザー識別子が特定ユーザーを識別しないと判断した場合（言い換えれば、特定ユーザー以外のエンドユーザーが第２の距離にいる場合）（ステップＳ１１２、ＮＯ）とに場合分けして説明する。
【００６５】
（１）特定ユーザーが第１の距離にいる場合（ステップＳ１１２、ＹＥＳ）
【００６６】
クライアント装置１０のパフォーマンス情報要求部１０４は、第１のパフォーマンス情報要求を生成する。第１のパフォーマンス情報要求は、クライアント装置１０のパフォーマンスが低い機能を識別する機能識別子と、パフォーマンスが低い機能のログとを要求するための要求である。パフォーマンス情報要求部１０４は、生成した第１のパフォーマンス情報要求を、ネットワークＮを介してサーバー装置３０に送信する（ステップＳ１１３）。
【００６７】
図１０は、サーバー装置の第２の動作フローを示す。
【００６８】
サーバー装置３０のパフォーマンス判断部３０３は、第１のパフォーマンス情報要求を、ネットワークＮを介してクライアント装置１０から受信する（ステップＳ３１１）。パフォーマンス判断部３０３は、ログ記憶部３１０が記憶する、直近の特定期間内に受信したログを読み出す（ステップＳ３１２）。
【００６９】
パフォーマンス判断部３０３は、ログ記憶部３１０が記憶する、直近の特定期間内に受信したログに含まれる実行開始日時及び実行終了日時とに基づき、パフォーマンスが低い機能を判断する（ステップＳ３１３）。具体的には、パフォーマンス判断部３０３は、ログ記憶部３１０が記憶する、直近の特定期間内に受信したログに含まれる実行開始日時から実行終了日時までの時間である実行時間と、最短時間記憶部３２０が記憶する、受信したログに含まれる機能識別子により識別される機能の最短時間（特定の基準）との差が、閾値を超えた場合、機能識別子により識別される機能をパフォーマンスが低い機能と判断する。パフォーマンス判断部３０３がパフォーマンスが低い機能が無いと判断すると（ステップＳ３１３、ＮＯ）、サーバー装置３０は処理を終了する（なお、このときクライアント装置１０ではステップＳ１１４、ＮＯとなる）。
【００７０】
一方、パフォーマンス判断部３０３がパフォーマンスが低い機能を判断すると（ステップＳ３１３、ＹＥＳ）、パフォーマンス判断部３０３は、受信（ステップＳ３１１）したパフォーマンス情報要求が、第１のパフォーマンス情報要求であるか第２のパフォーマンス情報要求であるかを判断する（ステップＳ３１４）。本例の場合、パフォーマンス判断部３０３は、第１のパフォーマンス情報要求と判断する（ステップＳ３１４、ＹＥＳ）。この場合、パフォーマンス判断部３０３は、第１のパフォーマンス情報要求に対する応答として、パフォーマンスが低い機能（ステップＳ３１３、ＹＥＳ）を識別する機能識別子と、この機能のログとを含む第１の応答を生成する。パフォーマンス判断部３０３は、生成した第１の応答を、ネットワークＮを介してクライアント装置１０に送信する（ステップＳ３１５）。
【００７１】
クライアント装置１０のパフォーマンス情報要求部１０４は、機能識別子と、この機能のログとを含む第１の応答を、ネットワークＮを介してサーバー装置３０から受信する（ステップＳ１１４、ＹＥＳ）。パフォーマンス情報要求部１０４は、受信した第１の応答を保持しておく。
【００７２】
ところで、クライアント装置１０の距離判断部１０２は、ビーコン受信機１９を介して、モバイルデバイス２０が発信したビーコンを受信する。距離判断部１０２は、受信したビーコンの電波強度に基づき、クライアント装置１０との距離が第１の距離（例えば、３メートル）より小さい第２の距離（例えば、１メートル）以下であるモバイルデバイス２０を検出する（ステップＳ１１５、ＹＥＳ）。
【００７３】
すると、クライアント装置１０のパフォーマンス情報提示部１０５は、第１の応答に含まれる機能識別子により識別される機能をユーザーに提示（例えば、タッチパネルである表示部１７ａに表示。以下同様）し、第１の応答に含まれるログを処理する複数の方法をユーザーに提示し、ログを処理する方法をユーザーに選択させる（ステップＳ１１６）。
【００７４】
図１１は、第１の応答に含まれる情報を表示部に表示する一例を示す。
【００７５】
図示の例では、パフォーマンス情報提示部１０５は、第１の応答に含まれる機能識別子により識別される機能「Ｓｅｎｄ（Ｅ−ｍａｉｌ）」をユーザーに提示する。具体的には、パフォーマンス情報提示部１０５は、「Ｓｅｎｄ（Ｅ−ｍａｉｌ）のパフォーマンスを確認して下さい」というメッセージＭ１を表示する。パフォーマンス情報提示部１０５は、第１の応答に含まれるログを処理する複数の方法を示すボタンとして、「Ｅ−ｍａｉｌで送信する」ボタンＢ１、「指定フォルダに保存する」ボタンＢ２及び「ＵＳＢ保存する」Ｂ３をユーザーに提示する。ユーザーは何れかのボタンＢ１、Ｂ２又はＢ３を選択操作し、「Ｈｏｌｄボタン」Ｂ４を操作することで、ログを処理する方法を選択すればよい。
【００７６】
クライアント装置１０のログ処理部１０６は、タッチパネルである操作部１７のボタンＢ１、Ｂ２又はＢ３に対するユーザーの操作を検出し、ユーザーが選択した方法を検出する（ステップＳ１１７）。ログ処理部１０６は、選択された方法（本例では、「Ｅ−ｍａｉｌで送信する」、「指定フォルダに保存する」又は「ＵＳＢ保存する」）でログを処理する（ステップＳ１１８）。
【００７７】
ところで、クライアント装置１０の距離判断部１０２が第２の距離以下であるモバイルデバイス２０を検出せず（ステップＳ１１５、ＮＯ）、特定時間が経過すれば（ステップＳ１１９、ＹＥＳ）、クライアント装置１０は処理を終了する。
【００７８】
（２）エンドユーザーが第２の距離にいる場合（ステップＳ１１２、ＮＯ）
【００７９】
クライアント装置１０のパフォーマンス情報要求部１０４は、第２のパフォーマンス情報要求を生成する。第２のパフォーマンス情報要求は、クライアント装置１０のパフォーマンスが低い機能を識別する機能識別子を要求するための要求である。パフォーマンス情報要求部１０４は、生成した第２のパフォーマンス情報要求を、ネットワークＮを介してサーバー装置３０に送信する（ステップＳ１２３）。
【００８０】
サーバー装置３０のパフォーマンス判断部３０３は、第２のパフォーマンス情報要求を、ネットワークＮを介してクライアント装置１０から受信する（ステップＳ３１１）。パフォーマンス判断部３０３は、ログ記憶部３１０が記憶する、直近の特定期間内に受信したログを読み出す（ステップＳ３１２）。
【００８１】
パフォーマンス判断部３０３は、ログ記憶部３１０が記憶する、直近の特定期間内に受信したログに含まれる実行開始日時及び実行終了日時とに基づき、パフォーマンスが低い機能を判断する（ステップＳ３１３）。パフォーマンス判断部３０３がパフォーマンスが低い機能が無いと判断すると（ステップＳ３１３、ＮＯ）、サーバー装置３０は処理を終了する（なお、このときクライアント装置１０ではステップＳ１２４、ＮＯとなる）。
【００８２】
一方、パフォーマンス判断部３０３がパフォーマンスが低い機能を判断すると（ステップＳ３１３、ＹＥＳ）、パフォーマンス判断部３０３は、受信（ステップＳ３１１）したパフォーマンス情報要求が、第１のパフォーマンス情報要求であるか第２のパフォーマンス情報要求であるかを判断する（ステップＳ３１４）。本例の場合、パフォーマンス判断部３０３は、第２のパフォーマンス情報要求と判断する（ステップＳ３１４、ＮＯ）。この場合、パフォーマンス判断部３０３は、第２のパフォーマンス情報要求に対する応答として、パフォーマンスが低い機能（ステップＳ３１３、ＹＥＳ）を識別する機能識別子を含む第２の応答を生成する。パフォーマンス判断部３０３は、生成した第２の応答を、ネットワークＮを介してクライアント装置１０に送信する（ステップＳ３１６）。
【００８３】
クライアント装置１０のパフォーマンス情報要求部１０４は、機能識別子を含む第２の応答を、ネットワークＮを介してサーバー装置３０から受信する（ステップＳ１２４、ＹＥＳ）。パフォーマンス情報要求部１０４は、受信した第２の応答を保持しておく。
【００８４】
ところで、クライアント装置１０の距離判断部１０２は、ビーコン受信機１９を介して、モバイルデバイス２０が発信したビーコンを受信する。距離判断部１０２は、受信したビーコンの電波強度に基づき、クライアント装置１０との距離が第２の距離（例えば、３メートル）より小さい第２の距離（例えば、１メートル）以下であるモバイルデバイス２０を検出する（ステップＳ１２５、ＹＥＳ）。
【００８５】
すると、クライアント装置１０のパフォーマンス情報提示部１０５は、第２の応答に含まれる機能識別子により識別される機能をユーザーに提示する（ステップＳ１２６）。
【００８６】
図１２は、第２の応答に含まれる情報を表示部に表示する一例を示す。
【００８７】
図示の例では、パフォーマンス情報提示部１０５は、第２の応答に含まれる機能識別子により識別される機能「Ｓｅｎｄ（Ｅ−ｍａｉｌ）」をユーザーに提示する。具体的には、パフォーマンス情報提示部１０５は、「Ｓｅｎｄ（Ｅ−ｍａｉｌ）のパフォーマンスを確認して下さい」というメッセージＭ２を表示する。図中のその他のＧＵＩは表示部１７ａに通常表示されるＧＵＩと変わりない。
【００８８】
ところで、クライアント装置１０の距離判断部１０２が第２の距離以下であるモバイルデバイス２０を検出せず（ステップＳ１２５、ＮＯ）、特定時間が経過すれば（ステップＳ１２９、ＹＥＳ）、クライアント装置１０は処理を終了する。
【００８９】
８．結語
【００９０】
本実施形態によれば、クライアント装置１０は、クライアント装置１０との距離が第１の距離以下であるモバイルデバイス２０を検出すると、パフォーマンス情報要求を、サーバー装置３０に送信する。これにより、クライアント装置１０は、モバイルデバイス２０を携帯するユーザーがクライアント装置１０から例えば３メートル離れているときに、パフォーマンス情報要求をサーバー装置３０に送信し、パフォーマンス情報を予め取得しておくことができる。その結果、クライアント装置１０は、クライアント装置１０との距離が第１の距離より小さい第２の距離（例えば１メートル）以下であるモバイルデバイス２０を検出すると、パフォーマンス情報を直ちにユーザーに提示することを図れる。
【００９１】
本実施形態によれば、クライアント装置１０は、モバイルデバイス２０にログインしたユーザーが特定ユーザーであれば、機能識別子及びログをサーバー装置３０に要求し取得する。一方、クライアント装置１０は、モバイルデバイス２０にログインしたユーザーが特定ユーザーでなければ、機能識別子をサーバー装置３０に要求し取得する。これにより、ログを必要とする特定ユーザーの場合のみログを送受信するので、特定ユーザーでない場合にはデータ送受信量を減らすことができる。また、特定ユーザーとエンドユーザーそれぞれに、適した情報を提示できる。
【００９２】
本実施形態によれば、実行時間と最短時間（特定の基準）との差が閾値を超えた場合、パフォーマンスが低い機能と判断する。このため、例えばユーザーがストレスを感じる時間を考慮して閾値を設定することにより、ユーザーがストレスを感じやすい実行時間を考慮してユーザーにパフォーマンスが低い機能を提示することを図れる。
【００９３】
本実施形態によれば、サーバー装置３０は、受信したログに基づく実行時間が最短時間（特定の基準）より短い場合、記憶装置３４が記憶する最短時間を、実行時間で更新する。これにより、記憶装置３４が記憶する最短時間は、常に最新の値となる。
【００９４】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００９５】
情報処理システム１
クライアント装置１０
モバイルデバイス２０
サーバー装置３０
ログ生成部１０１
距離判断部１０２
ユーザー判断部１０３
パフォーマンス情報要求部１０４
パフォーマンス情報提示部１０５
ログ処理部１０６
ログ管理部３０１
最短時間管理部３０２
パフォーマンス判断部３０３
ログ記憶部３１０
最短時間記憶部３２０
【図１】
2020042379.tif 000003
【図２】
2020042379.tif 000004
【図３】
2020042379.tif 000005
【図４】
2020042379.tif 000006
【図５】
2020042379.tif 000007
【図６】
2020042379.tif 000008
【図７】
2020042379.tif 000009
【図８】
2020042379.tif 000010
【図９】
2020042379.tif 000011
【図１０】
2020042379.tif 000012
【図１１】
2020042379.tif 000013
【図１２】
2020042379.tif 000014